(57)【要約】【課題】作物の蒔き時期、収穫時期、果実の収穫時期等に、作物・果実を鳥害から守るのが目的である。【解決手段】自然力を利用する。特に風利用の風車、移動装置等を開発する。垂直回転軸に、回転翼を取り付け、其の先にブレードを設けて風車とし、垂直回転軸の上端にケーブル用駆動装置を設ける。又、風のない時などに風車の代わりに、モーター使用による回転で使用出来る移動装置も使用する。又、ケーブル駆動装置を回転軸で、風車とモーターの回転軸が切り替えて接続出来るようジョイントを設けて使用する。ケーブルは一周して張る、各移動装置には鳥害防止具を吊り下げて使用する。又、各一連の鳥害防止具は、固定具、長い紐に吊り下げて使用する事も出来る。又、一周して張り巡らしたケーブルに、鳥害防止具を固定して吊るし、ケーブル移動装置具で周回転させる。【選択図】図１
2004350683.tif 000002
【特許請求の範囲】
【請求項１】
歯車１にケーブル用車２を設け、回転軸３に回転翼４を固定し、その先端にブレード５を設け、ケーブル押さえ６、ケーブル押さえローラー７を設けた回転軸受け８を、回転軸３にセットし、回転軸３の上端に歯車９を設け、歯車１、歯車９、シャフト１０を回転軸受け８で組み合わせ、回転軸３の下端に、針金１１、クサリ１２、模様付きアルミ箔１３を設けたＰ．Ｐ材の円形１４、その下端にクサリ１２、鳥の形状１５を取り付けた、風車に依る移動鳥害防止装置及び鳥害防止具。
【請求項２】
透明な凹凸の有るプラスチックの立体物１７、立体物１７の中にアルミ箔２１を貼ったＰ・Ｐ材の円形板２０をクサリ１９で吊るす、立体物１７の両端にクサリ１９を設ける、一方のクサリ１９は吊り下げる物体へ、他方のクサリ１９はＰ・Ｐ材の鳥の形状板１８を設けたことを特徴とする鳥害防止具。
【請求項３】
固定の位置、移動装置にクサリ１９で吊り下げたプラスチックの立体物１７、アルミ箔２１付きＰ・Ｐ材の円形板２０、Ｐ・Ｐ材の鳥の形状板１８が、動き、光、音で威嚇することを特徴とする請求項２の鳥害防止具。
【請求項４】
歯車１にケーブル用車２を設け、ケーブル押さえ６、ケーブル押さえローラー７を設けた回転軸受け８を、回転軸３にセットし、回転軸３の上端に歯車９を設け、歯車１、歯車９、シャフト１０を回転軸受け８で組み合わせ、モーター２５、電池用スペース２８、針金３０用連結金具２９、電池スペース蓋２７を設けたケース２６、ケース２６の上端に回転軸ジョイント金具２４、回転留２３を設け、回転軸３、ケーブル押さえ６にセットし、針金３０に、請求項１、請求項２の鳥害防止具を吊り下げた移動装置及び鳥害防止具。
【請求項５】
ケーブル駆動部支持具３５に、ケーブル駆動部（シャフト３９、プーリー３２、合成樹脂ローラー４０等がセットされた物）、押さえローラー３７、引きバネ３８を設けてセットし、ケーブル移動装置具とし、合成樹脂ローラー４０、押さえローラー３７の間に、一周して張り巡らしたケーブル３１を挟みこみケーブル３１に鳥害防止具３６を固定して取り付け吊り下げ、一周したケーブルの数箇所にコーナー回転支持具３３を、ポール等に固定して設けた、ケーブル移動装置具。
【発明の詳細な説明】
【技術分野】
【０００１】本発明は、果実、野菜生産業、生産者などの鳥害防止に関するものである。
【背景技術】
【０００２】従来、定位置の鳥害防止具、防止装置具は、風で動く具、光を反射する具、などが有る。
【発明の開示】
【発明が解決しようとする課題】
【０００３】従来方法では慣れに依り鳥への威嚇効果が短期間で少なくなる。従って、本発明は、鳥害防止具を移動する事などで問題点を少なくする鳥害防止具を提供する事を目的とする。
【課題を解決するための手段】
【０００４】前記目的を達成する為に、本発明の請求項１記載の鳥害防止具は、自然風力を利用し、風車の回転力利用により、鳥害防止具が移動する。風車による移動装置を開発した。この装置を使用するのにはケーブルを利用する。その為には垂直軸風車を利用するのが簡易である。垂直軸風車にケーブル上を走る装置を設ける。回転軸（垂直軸）の下に鳥害防止具を吊り下げる。風車のブレードはプラスチック類が軽くて使用するのに良い。ボトル形状のものを斜めにカットした物をブレードとして使用。回転軸に回転翼を設け先端にブレードを取り付ける。回転軸受けに歯車、ケーブル用車、ケーブル押さえ、ケーブル押さえローラーを設けた回転軸受けを、回転軸にはめ込み、回転軸の先端に取り付けた歯車と噛み合わせセットする。又、回転軸の下端に針金、その下にクサリその先にＰ・Ｐ材にアルミ箔を貼り付けた円形板、その先にクサリ、又、その先にＰ・Ｐ材の鳥の形状板を直列に連結し吊り下げる。風車移動装置、鳥害防止具がセットされた物を、ケーブルの上に、ケーブル用車を乗せて使用することを特徴とする。【０００５】請求項２記載の鳥害防止具は、２個の透明な凹凸の有るプラスチックのボールの形状物を、４カ所を金具等で連結し１個の立体物とする。４カ所の連結金具の内２カ所、上と下とするところにクサリを設ける、上とするところには立体物の外側へ１本、内側へ１本、連結金具にクサリを挟む、上下の連結部はクサリがスムースに動けるよう間を開けて連結する。上部外側のクサリは吊り下げる物体へ内側のクサリはアルミ箔を貼り付けたＰ・Ｐ材の円形板を吊るす。円形板は立体物の直径の半分以下の大きさとし中心位の位置にくるように吊るす。下側の連結金具に挟んだクサリの先端にＰ・Ｐ材の鳥の形状板を取り付け吊り下げる。本発明は、複数の鳥害防止具を連結した事により、複雑な動き、光、音で、固定した場所に設置しても、鳥からの害を長期間防止する。【０００６】請求項４記載の鳥害防止具移動装置は、モーターを使用した移動装置である。風の無い時に鳥害防止具を吊り下げて移動するために考案したものである。又、この移動装置は風車とモーターをジョイント金具で付け替える事により兼用できる。【０００７】請求項５記載のケーブル移動装置具は、一周して張り巡らしたケーブルをケーブル駆動軸部と押さえローラーに挟み、ベルトを設けたケーブル駆動軸を垂直軸風車又は、モーター等を使用して移動する。コーナー回転支持具を数箇所設け、移動装置具、回転支持具をポール等で固定する。
【発明の効果】
【０００８】従来の固定した位置に有る鳥害防止装置及び鳥害防止具の単品では、雨の日、又は、風のない時効果が偏り、一定の場所に有る期間が長いので、鳥が慣れてしまい、効果がかなり薄れる。害鳥を威嚇するのには、音、光、動き等が有効で有る。本発明の移動する、又固定の位置に有る鳥害防止具は複数の防止具を一連とし、使用するので複雑な動き、光、音等が有る。又、その日の天気に依り効果が薄れるのを防ぐ。鳥の害を防止するのには、蒔き時、収穫時等、その都度鳥害防止具を使用するのが効果が大きい。又、害鳥に依っては長期間置いても効果が有る。本発明の自然風力を利用する移動鳥害防止装置及び鳥害防止具を使用する事により、ケーブル上を移動して、色々な位置で、色々な動きがでるので、非常に効果が得られる。又、風の無い時などはモーターによる移動装置を使用する事により天気に左右されずに害鳥から作物を守る。又、一連からなる、円形と鳥の形状、そして音の出る透明な立体物と鳥の形状、いずれも複数からなる本発明の鳥害防止具は、固定した位置に吊るしても効果がある。又、一連からなる透明な立体物と鳥の形状は効果が非常に長期間ある。
【発明を実施するための最良の形態】
【０００９】本発明を実施形態に基づいて説明する。実施形態に係る移動鳥害防止装置を図２、及び図３（斜視図）、図４（ケーブル駆動部正面図）、図５（側面図）に示す。この移動鳥害防止装置は、回転軸３（垂直軸）に回転翼４を固定して取り付ける。回転翼４の先端にはボトルを斜めにカットした楕円形のボトル５（プラスチック）を７０度位の角度で取り付け、ブレードとする。回転軸３の上部には回転軸受け８を設ける。回転軸受け８には歯車１、ケーブル用車２、をシャフト１０で取り付け、ケーブル押さえ６、ケーブル押さえローラー７を設ける。回転軸３の上部先端に歯車９を取り付け、歯車１と噛み合わせ、セットとし、ケーブル駆動部とする。回転軸３の下部の先端に針金１１を設ける。【００１０】図６（正面図）に示す鳥害防止具は、針金１１にクサリ１２、Ｐ・Ｐ材の円形板１４、円形板１４にはアルミ箔１３を両面に貼る、その先にクサリ１２に鳥の形状板１５（Ｐ・Ｐ材）を設けた物を直列に連結して移動装置、固定具等に吊り下げる。針金１１の下端には回転軸３で多回転しないように、ヨリ戻し等を利用する。【００１１】図９（連結された斜視図）クサリ１９に、２個の透明な凹凸の有るプラスチックのボールの形状物を、金具２２で連結し、立体物１７を作る。立体物下部の金具２２にクサリ１９を連結その先に鳥の形状板１８（Ｐ・Ｐ材）を取り付け直列に連結する。上のクサリ１９には、鳥害防止具が、吊るす物に絡まぬような長さの針金を取り付け移動装置、固定具、紐等に吊るす。【００１２】図７（側面図）２個の透明な凹凸の有るボール形状物（プラスチック）の４カ所を連結金具２２で連結する。上下の連結金具２２にはクサリ１９を挟み、クサリがスムースに動けるように間を開ける。図８で示すように４カ所の連結部の上部となる連結金具２２に、クサリ１９を内と外になるように２本挟み、内側のクサリ１９にアルミ箔２１が両面に貼ってあるＰ・Ｐ材の円形板２０を立体物１７の中心位の位置へ吊るす。円形板２０の大きさは立体物１７の直径の半分以下の大きさとする。【００１３】図１０（正面図）に示す移動装置は、前記した風車の駆動装置を使用し、モーター２５、電池用スペース２８、針金３０用連結金具２９、電池スペース蓋２７を設けたケース２６、ケース２６の上端に、回転軸ジョイント金具２４、回転留２３を設け、回転軸３、ケーブル押さえ６にセットする。回転軸ジョイントは、留めピン使用又はダブルナットで繋ぐ。回転留２３は、ケーブル押さえ６に挟み込んでセットする。【００１４】図１１（斜視図）に示すケーブル移動装置は、ケーブル駆動部支持具３５に、ケーブル駆動部（シャフト３９、プーリー３２、合成樹脂ローラー４０等がセットされた物）、シャフト３９、引きバネ３８、押さえローラー３７でセットされた、ケーブル押さえ装置を取り付け、ベルト３４で駆動するケーブル移動装置とする。コーナー回転支持具４１に、押さえローラー３７を設けたシャフト３９を２セット取り付けコーナー回転支持装置とする。各ローラーとローラーの間にケーブルを挟み込み使用する。
【実施例１】
【００１５】以下、本発明の実施例について説明する。図２、図３に示すように風車を利用した移動装置は、回転軸（垂直軸）に回転翼を固定して取り付ける。その両端にボトル（プラスチック）を斜めにカットした物を７０度位の角度（回転数が多い）で取り付ける。ボトルをカットした物（ブレード）３個を一連とし、２組を使用する。この風車による回転を歯車の組み合わせによりケーブル用車を回す。ケーブルは、移動装置がスムースに移動出来るように、出来るだけ水平に、たるみを少なく、又、コーナーが角にならないように一周して張る。又、ケーブル用車がケーブルから外れないように、ケーブル押さえ、ケーブル押さえローラー（図５）で支える。図６で示す一連の鳥害防止具を回転軸の下端に、多回転しないように、より戻し等を使用する。又、風が弱い時、ない時などのためモーター使用に依る移動装置を兼用し、広範囲を守るようにする。ボトルはペットボトルのリサイクルを考え使用すると良い。
【実施例２】
【００１６】図６に示す、一連の鳥害防止具は、針金、クサリ、その下にＰ・Ｐ材の円形板にアルミ箔を両面に貼った物を繋ぎ、その下にクサリ、Ｐ・Ｐ材の鳥の形状板を繋ぎ一連の鳥害防止具とする。針金の長さは、鳥害防止具が吊り下げる物に絡まぬような長さとする。クサリの使用は自在に動き丈夫で有る。アルミ箔の貼ってある円形板は、風の動きで光を乱反射し、鳥の形状板は、微風で動き、風に舞う。その動きで全体をも動かし、動き、光等で鳥を威嚇する。この鳥害防止具は移動装置に使用。又、は固定場所の固定具、紐等に吊るして使用しても効果が大きい。
【実施例３】
【００１７】図９に示す、一連の鳥害防止具は、固定場所に主に使用。使用方法は、固定具に吊るす、紐等を張った物に吊るす。クサリの自在の動き、透明なプラスチックで出来た立体物の動き、そして光が乱反射する。図８に示すクサリで吊るされたアルミ箔を貼った円形の板は、風により光を乱反射させ、外側の立体物に当たり音をだす。図９に示す、鳥の形状板が微風で動き風に舞いその動きで全体をも動かし、動き、音、光の乱反射などの複数要素で鳥の害から作物、果実その他を守る。又、立体物はペットボトルのリサイクルを考え使用すると良い。
【実施例４】
【００１８】図１０に示す、モーター使用に依る移動装置は、風車用駆動装置を利用して風の無いときなどに使用する。電源は、電池、又、バッテリー（太陽光、風力発電など、を利用したものなど）を利用する。この移動装置は、風車とモーターとを取り替え兼用する。又は、モーター使用だけの移動装置も利用する。ケース下端に設けた連結金具に一連の鳥害防止具を吊り下げて使用する。
又、移動装置を利用しないで、鳥害防止具を吊り下げたケーブルを動かし、張り巡らしたケーブルを周回転させ鳥害防止具を移動する。
その他、ベランダの洗濯物等、鳥の糞から守る為に鳥害防止具を吊るして使用する。
【実施例５】
【００１９】図１１に示す、ケーブル移動装置具は、鳥害防止具を取り付けたケーブルを一周して張り巡らして使用する。ケーブル・コーナー回転支持装置はコーナーとなる所は２〜３の支持装置を近くに設けてケーブルの移動をスムースにする。又、各支持具はポール等に固定する。ケーブルは、ビニール付き電線を使用すると良い。
【図面の簡単な説明】
【００２０】
【図１】風車、移動装置及び鳥害防止具の斜視図である。
【図２】風車、移動装置の斜視図である。
【図３】移動装置の側面の斜視図である。
【図４】移動装置の正面図である。
【図５】移動装置の側面図である。
【図６】鳥害防止具の平面図である。
【図７】透明な立体物の側面図である。
【図８】透明な立体物の内側と、アルミ箔付き円形板の平面図である。
【図９】透明な立体物付き鳥害防止具の斜視図である。
【図１０】モーター使用の移動装置の正面図である。
【図１１】ケーブル移動装置の斜視図である。
【符号の説明】
【００２１】  １歯車                          ２１アルミ箔
２ケーブル用車                  ２２連結金具
３回転軸                        ２３回転留
４回転翼                        ２４ジョイント金具
５ブレード                      ２５モータ
６ケーブル押さえ                ２６ケース
７ケーブル押さえローラー        ２７電池スペース蓋
８回転軸受け                    ２８電池用スペース
９歯車                          ２９連結金具
１０シャフト                      ３０針金
１１針金                          ３１ケーブル
１２クサリ                        ３２プーリー
１３アルミ箔                      ３３コーナー回転支持具
１４Ｐ・Ｐ材の円形板              ３４ベルト
１５Ｐ・Ｐ材の鳥の形状板          ３５ケーブル駆動部支持具
１６ケーブル                      ３６鳥害防止具
１７プラスチックの立体物          ３７押さえローラー
１８Ｐ・Ｐ材の鳥の形状板          ３８引きバネ
１９クサリ                        ３９シャフト
２０Ｐ・Ｐ材の円形板              ４０合成樹脂ローラー
【図１】
2004350683.tif 000003
【図２】
2004350683.tif 000004
【図３】
2004350683.tif 000005
【図４】
2004350683.tif 000006
【図５】
2004350683.tif 000007
【図６】
2004350683.tif 000008
【図７】
2004350683.tif 000009
【図８】
2004350683.tif 000010
【図９】
2004350683.tif 000011
【図１０】
2004350683.tif 000012
【図１１】
2004350683.tif 000013